(57)【要約】      （修正有）【課題】多機能軽便エクササイズマシンを提供する。【解決手段】多機能軽便エクササイズマシンは、腿部位置決め部材１がスライドポスト２に摺動自在に組み合わされ、腿部位置決め部材１とスライドポスト２との間に負荷装置と負荷調整装置６を備え、また該スライドポストの上端に二つのグリップ４を設けて構成する。使用時には、椅子に坐ってその大腿で腿部位置決め部材を挟み、さらに手部でグリップを握り持ち上げることで、リフトアップの運動効果を達成する。また、該グリップを回転可能方式に調整し、手部で横向きに押圧する運動も行え、また、グリップを取り外してそれをスライドポストの下端に組み合わせ、全体を逆さに置き、手部でグリップを握り押し下げることで、押下の運動効果を達成できる。【選択図】図１
0003171341.tif 000002
【実用新案登録請求の範囲】
【請求項１】
多機能軽便エクササイズマシンにおいて、
中空孔が設けられた腿部位置決め部材と、
スライドポストであって、該腿部位置決め部材の該中空孔に通されて、該腿部位置決め部材が該スライドポストの上方に設けられ、該スライドポストと該腿部位置決め部材が相互に相対運動できる上記スライドポストと、
ダンパ装置であって、該腿部位置決め部材、該スライドポストの間に設けられ、該ダンパ装置は負荷調整装置を包含し、該負荷調整装置は負荷装置の弾力の大きさを調整するのに用いられる上記ダンパ装置と、
該スライドポストの上端に設けられて対称性を呈する二つのグリップと、
を包含したことを特徴とする、多機能軽便エクササイズマシン。
【請求項２】
請求項１記載の多機能軽便エクササイズマシンにおいて、上述のスライドポストの上端に上蓋が設けられ、該上蓋の二側に枢接シートが設けられ、該枢接シートに該二つのグリップが枢接され、該二つのグリップと対応する該枢接シートとの間に戻りバネが設けられ、該グリップにおいて、該上蓋の該枢接シートの枢接部分からこのグリップ前端の部分が支持部とされ、且つ二つの該グリップの該支持部がずらして設置され、水平方向からみて重複した形状とされ、また、各該支持部に凸部が設けられたことを特徴とする、多機能軽便エクササイズマシン。
【請求項３】
請求項１又は２記載の多機能軽便エクササイズマシンにおいて、上述のグリップは支持部と握持部を包含し、該支持部の後部に挿入孔が設けられ、該握持部が該支持部の後部の挿入孔に挿入されることを特徴とする、多機能軽便エクササイズマシン。
【請求項４】
請求項３記載の多機能軽便エクササイズマシンにおいて、グリップロックスイッチを包含し、それは回転つまみ、Ｔ形頭ネジ及び複数のナットを包含し、該Ｔ形頭ネジの前端が該スライドポストの上端に設けられた上蓋の底面より該上蓋を貫通した後、該複数のナット、該回転つまみと螺合されることを特徴とする、多機能軽便エクササイズマシン。
【請求項５】
請求項３記載の多機能軽便エクササイズマシンにおいて、上述のスライドポストはさらに内スライドシートを包含し、該内スライドシートはスライドポストと上蓋内に設けられ、且つ負荷装置の支持を受けて二つのグリップの支持部と接触することを特徴とする、また該内スライドシートは更に負荷装置の位置決め管を含み、また該位置決め管は負荷装置の上方に設置され、該内スライドシートの両外側にそれぞれ結合部が設けられ、該結合部に該腿部位置決め部材が固着され、該スライドポストの上部の、該結合部に対応する部分に逃し溝が設けられたことを特徴とする、多機能軽便エクササイズマシン。
【請求項６】
請求項１あるいは５記載の多機能軽便エクササイズマシンにおいて、該内スライドシートに負荷装置の位置決め管が設けられ、該位置決め管が該負荷装置の下方に設けられ、また該底座の両外側にそれぞれ挿入孔が設けられたことを特徴とする、多機能軽便エクササイズマシン。
【請求項７】
請求項６記載の多機能軽便エクササイズマシンにおいて、該底座内に滑り溝が設けられ、該滑り溝が位置決め柱の底端に設けられたスライドシートに対応し、該負荷調整装置は、その前端に設けられた雄ネジが底座の下方より通された後、さらに位置決め柱底端に設けられた雌ネジ孔と螺合されることを特徴とする、多機能軽便エクササイズマシン。
【請求項８】
請求項１記載の多機能軽便エクササイズマシンにおいて、別にパッドを包含し、該パッドに穿孔が設けられ、該パッドの上端に嵌合部が設けられて、該嵌合部が該腿部位置決め部材に嵌合されることを特徴とする、多機能軽便エクササイズマシン。
【考案の詳細な説明】
【技術分野】
【０００１】
本考案は一種のエクササイズマシンに係り、特に、多種類の機能を有し、簡易軽便型で、室内、オフィスでの使用に適した運動器材に関する。
【背景技術】
【０００２】
周知の伝統的な運動器材の種類は非常に多いが、多機能を有するエクササイズマシン、、例えばエクササイズルームに置かれる専用運動マシンは、その本体体積が相当に大きく且つ構造が複雑であり、このため家庭に置くのに適さない。しかし、家庭に置くのに適した運動器材、例えばダンベルやエクスパンダーは、その占用する体積が小さいものの、比較的単調な運動状態しか提供することができず、このため、操作使用上、明かに相当に単調で、多様な運動形式を達成できず、ゆえに、使用者の運動要求を満足させられない。そのため、別の種類の運動を実行したい時には、別に運動器具を購入しなければならず、相当に不経済であり、ゆえに、周知の家庭用運動器材は完全ではなく、改善の必要なところがあった。
【０００３】
すでに、ある業者により特許文献１に示される周知構造９が提供されている。それは図１８に示されるように、押し引き式エクササイズマシンであり、スリーブ９１、動作ロッド９２、及びダンパ装置９３を有する。スリーブ９１の底端には当接部材９４が設けられ、適宜位置に押し上げられて支持を形成し、動作ロッド９２はスリーブ９１内に通され、並びに外力作用を受けてスリーブ９１の長軸方向に添って上下に動作する。ダンパ装置９３はスリーブ９１内に設けられ、並びに動作ロッド９２の底端と接続され、並びに力を受けて引き伸ばされる少なくとも一つのＵ形弾性体９５を具え、ダンパ効果を提供する。
【先行技術文献】
【特許文献】
【０００４】
【特許文献１】台湾実用新案登録公報第Ｍ４０３３５７号
【考案の概要】
【考案が解決しようとする課題】
【０００５】
上述の周知構造９は僅かに単一の運動機能しか提供できず、すなわち、使用者はグリップを握って下向きに施力し、これにより、周知構造９の運動は比較的単調でつまらない。また、該周知構造９において弾力調整する時には、スリーブ９１を分解してＵ形弾性体９５を取り付けるか取り外すことで、異なる状況の使用に適応させるが、このような弾力調整方式は相当に不便である。
【０００６】
本考案の主要な目的は、弾力調節が便利なエクササイズマシンを提供することにある。
【０００７】
本考案の次の目的は、多機能を有するエクササイズマシンを提供することにある。
【０００８】
本考案の別の目的は、機能切り換えが行えるエクササイズマシンを提供することにある。
【課題を解決するための手段】
【０００９】
本考案の多機能軽便エクササイズマシンは、中空孔が設けられた腿部位置決め部材と、スライドポストであって、該腿部位置決め部材の中空孔に通され、該腿部位置決め部材が該スライドポストの上方に設けられ、該スライドポストと該腿部位置決め部材が相互に相対運動できる上記スライドポストと、負荷装置であって、該腿部位置決め部材、該スライドポストの間に設けられ、別に該負荷装置は負荷調整装置を包含し、該負荷調整装置は負荷装置の弾力の大きさを調整するのに用いられる上記負荷装置と、該スライドポストの上端に設けられて対称状を呈する二つのグリップと、を包含する。
【００１０】
上述のスライドポストの上端に上蓋が設けられ、該上蓋の二側に枢接シートが設けられ、該枢接シートに該二つのグリップが枢接され、該二つのグリップと対応する枢接シートの間に戻りバネが設けられる。また、該グリップと上蓋の枢接シートの枢接部分からこのグリップ前端の部分が支持部と規定され、且つ二つのグリップの支持部がずらして設置され、水平方向からみて重複した形状とされる。また、各支持部に凸部が設けられる。
【００１１】
上述のグリップは支持部と握持部を包含し、該支持部の後部に挿入孔が設けられ、該握持部が該支持部の後部の挿入孔に挿入される。
【００１２】
上述の本考案は別にグリップロックスイッチを包含し、それは回転つまみ、Ｔ形頭ネジ及び複数のナットを包含し、該Ｔ形頭ネジの前端が上蓋の底面より貫通した後、さらに複数のナット、回転つまみと螺合される。
【００１３】
上述のスライドポストはさらに内スライドシートを包含し、該内スライドシートはスライドポストと上蓋内に設けられ、且つ負荷装置の支持を受けて二つのグリップの支持部と接触する。
【００１４】
上述の内スライドシートはさらに負荷装置の位置決め管を包含し、該位置決め管は負荷装置の上方に設けられる。
【００１５】
上述の内スライドシートの両外側にそれぞれ結合部が設けられ、該結合部は腿部位置決め部材に固着される。またスライドポストの上方に該結合部に対応するようにそれぞれ逃し溝が設けられる。
【００１６】
上述のスライドポストの底端に中空の底座と位置決め柱が設けられ、該位置決め柱と該底座が接続された後に、スライドポストの底端に固定され、また、該位置決め柱は該負荷装置の下方に設けられ得る。
【００１７】
上述の底座の両外側にそれぞれ挿入孔が設けられる。
【００１８】
上述の底座内に滑り溝が設けられ、該滑り溝が位置決め柱の底端に設けられたスライドシートに対応する。また該負荷調整装置は、その前端に設けられた雄ネジが底座の下方より通された後、さらに位置決め柱底端に設けられた雌ネジ孔と螺合される。
【００１９】
上述の本考案は更にパッドを包含し、該パッドに穿孔が設けられ、該パッドの上端に嵌合部が設けられて、該腿部位置決め部材に嵌合可能である。
【考案の効果】
【００２０】
本考案は従来の技術と比較して、確実に以下の効果を達成する。
１．本考案はスライドポストの底部に負荷調整装置が設けられ、使用者が負荷調整装置の回転つまみを回すことで負荷装置の負荷を調整し、男性、女性、子供などの使用者、或いはその他の状況での使用に適用される。
２．本考案は多種類の運動方式を有し、手部で押下、引き伸ばし及び回転でき、上半身の運動を行える。また、本考案は機能が多いが体積は小さく、軽便で、携帯が容易であり、且つ広い運動空間を必要としない。また、多種類の運動器材を買う必要がなく、実用的でまた経済的にエクササイズが行える。
３．本考案はグリップロックスイッチを運用し、またグリップの挿入孔の関係配置により、単独で本考案のエクササイズ機能を実施できる。
【図面の簡単な説明】
【００２１】
【図１】本考案のより良い実施例の立体図である。
【図２】本考案のより良い実施例の分解図である。
【図３】本考案のより良い実施例の組み合わせ断面図である。
【図４】本考案のより良い実施例の引き上げ運動時の組み合わせ断面図である。
【図５】本考案のより良い実施例の運動準備の態様図である。
【図６】本考案のより良い実施例の引き上げ運動の態様図である。
【図７】図６の動作を示す側面図である。
【図８】本考案のより良い実施例のグリップ回転後の、スライドポストの引き上げの動作表示図である。
【図９】本考案のより良い実施例のグリップ回転後の、スライドポストの引き上げの態様図である。
【図１０】本考案のより良い実施例の押下の断面図である。
【図１１】本考案のより良い実施例の押下態様面図である。
【図１２】図１１の動作を示す側面図である。
【図１３】本考案のより良い実施例の腿部位置決め部材にパッドを設けた断面図である。
【図１４】本考案のより良い実施例のグリップロックスイッチの組み合わせを示す縦向き断面図である。
【図１５】本考案のより良い実施例のグリップロックスイッチの操作を示す径方向断面図である。
【図１６】本考案のより良い実施例のスライドポストの底部の縦断面図である。
【図１７】本考案のより良い実施例の負荷調整装置による負荷装置の調整表示図である。
【図１８】周知構造図である。
【考案を実施するための形態】
【００２２】
さらに本考案の目的、その運用の技術手段及びその達成する機能について説明するため、より良い実施例を挙げて詳細に説明する。
【００２３】
まず、図１から図３には、本考案の多機能軽便エクササイズマシンが示され、それは、腿部位置決め部材１、スライドポスト２、負荷装置３及び二つのグリップ４を包含する。
【００２４】
そのうち、該腿部位置決め部材１は、本体がＩ字形を呈し、また本体の両側に凹部１２が形成され、該凹部１２は使用者７の大腿７１による挟持に供される。本体の中心に中空孔１１が設けられている。
【００２５】
該スライドポスト２は、その上方に上蓋２１と内スライドシート２２をさらに包含する。そのうち、スライドポスト２は中空管とされ且つ上方両側に逃し溝２０が設けられ、上蓋２１は複数のネジでスライドポスト２の上端に固定され、また、該上蓋２１の二側に枢接シート２１１が設けられ、該枢接シート２１１は二つのグリップ４の枢接に供される。該二つのグリップ４と対応する枢接シート２１１の間には戻りバネ２１２が設けられ、該戻りバネ２１２の作用は、グリップ４回転後に開始位置に回復させることである。
【００２６】
該内スライドシート２２は中空管とされ、該内スライドシート２２の上方にプラグ２２２が設けられ、複数のネジでプラグ２２２が内スライドシート２２の上方に取付けられる。且つプラグ２２２の下方に位置決め管２２３が固着される。また該内スライドシート２２の二側にスライドポスト２の逃し溝２０に対応するように二つの結合部２２１が設けられ、該結合部２２１は複数のネジで腿部位置決め部材１と結合される。
【００２７】
またスライドポスト２の下方にさらに底座２４と位置決め柱２４１が設けられ、また該位置決め柱２４１のスライドシート２４２と底座２４に設けられた滑り溝２４０が接続された後、複数のネジでそれがスライドポスト２の底端に固定され、底座２４の二側に挿入孔２４３が設けられている。
【００２８】
該負荷装置３は、圧縮バネとされるのが最も良く、該負荷装置３の上端にスライドポスト２の上方のプラグ２２２の位置決め管２２３が嵌合され、該負荷装置３の下端はスライドシート２４２の位置決め柱２４１に嵌合され、該負荷装置３は腿部位置決め部材１、スライドポスト２の間の弾力を提供し、これにより腿部位置決め部材１、スライドポスト２が相対運動を行う時、負荷装置３が押圧される時、腿部位置決め部材１、スライドポスト２が開始状態に戻る動力を保存する。
【００２９】
該二つのグリップ４は、スライドポスト２の上端の上蓋２１に枢接され且つ相互に対称状とされ、また、該グリップ４は支持部４１と握持部４２を包含する。そのうち、支持部４１の後部に挿入孔４１１が設けられ、該握持部４２は支持部４１の後方の挿入孔４１１に挿入され、二つのグリップ４の支持部はずらして設置されて水平方向からみて重複した形状を呈し、該握持部４２は支持部４１より取り外せる。また、各支持部４１に凸部４１３が設けられ、グリップロックスイッチ５が増設され、これによりグリップ４の回転と非回転が設定される。
【００３０】
図３に示されるように、スライドポスト２が腿部位置決め部材１の中心孔１０１に挿入され、スライドポスト２の上蓋２１に二つのグリップ４が枢接され、且つ該グリップ４の支持部４１が内スライドシート２２のプラグ２２２に平置きされ、また腿部位置決め部材１が内スライドシート２２の結合部２２１を介して内スライドシート２２に結合されて連動可能とされ、また、該結合部２２１がスライドポスト２の逃し溝２０の上方に位置し、こうして腿部位置決め部材１、内スライドシート２２が一緒にスライドポスト２と相対スライドするものとされる。
【００３１】
また、該スライドポスト２の底端に底座２４と位置決め柱２４１が固定され、且つ内スライドシート２２の位置決め管２２３、底座２４の位置決め柱２４１の間に負荷装置３が設けられ、こうして腿部位置決め部材１、スライドポスト２の底座２４が一体に負荷装置３を圧縮して、腿部位置決め部材１にスライドポスト２上で重複スライドを発生させ、エクササイズ効果を発生できる。
【００３２】
これにより、本考案の機能は多く、且つ体積が小さく、軽便であり、携帯が容易で、且つ広い運動空間を必要とせず、且つ多くの運動器材を購入する必要をなくし、実用的で経済的なエクササイズマシンである。
【００３３】
図４から図６を参照されたい。本考案は室内運動に比較的適合する。使用者７は椅子８の上に座り、その大腿７１の内側で本考案の腿部位置決め部材１をはさみつけ、さらに手部でグリップ４を握り、その後、手部で上向きの力をかけてグリップ４とスライドポスト２を引き上げる。ただし、内スライドシート２２と腿部位置決め部材１は大腿７１内側に位置決めされて不動とされ（図５のとおり）、すなわち、スライドポスト２の底座２４が負荷装置３を圧縮し、該負荷装置３が底座２４に反作用力を与え、使用者７が引き上げる力に対抗する。さらに、手部を離せば、圧縮された負荷装置３がスライドポスト２とグリップ４を開始状態に回復させ、図７に示されるように、こうして使用者７の手部により反復して施力と開放を行うことで、手部の引き上げ運動の効果を達成する。
【００３４】
図８及び図９に示されるように、大腿７１で本考案の腿部位置決め部材１をはさみつけ、且つグリップロックスイッチ５の緩み具合を調整し、さらに、手部でグリップ４を握持し、その後、手部で二つのグリップ４を所定角度に回転させて、二つのグリップ４の支持部４１の頭端４１２を内スライドシート２２に当接させ（内スライドシート２２と腿部位置決め部材１は大腿７１内側に位置決めされて不動である）、さらに上蓋２１とスライドポスト２を上向きに引き上げ（図８）、さらにスライドポスト２の底座２４に負荷装置３を圧縮させて、該負荷装置３が底座２４に反作用力を与え、使用者７の手部の横向き押圧力に対抗する。
【００３５】
スライドポスト２を上に引き上げた後、手部の施力解除すると、グリップ４は戻りバネ２１２及び負荷装置３の共同作用により開始状態に回復し、こうして使用者７の手部により反復して施力、施力解除を行うことで、手部横向き押圧運動の効果を達成できる。
【００３６】
図１０及び図１１に示されるように、グリップ４の握持部４２を支持部４１より分解した後、それぞれスライドポスト２の底座２４の二側の挿入孔２４３に取付け、その後、使用者７の大腿７１の上方に倒置する。或いは大腿７１で腿部位置決め部材１（図示せず）を挟み、その後、さらに手部でグリップ４を握持して脇を締め、その後、手部と上半身で下向きの力を加え、グリップ４とスライドポスト２を下に押すと（図１２）、スライドポスト２の底座２４が負荷装置３を圧縮し、負荷装置３が底座２４に反作用力を与えて使用者７の施力に対抗する。
【００３７】
さらに、手部の施力を解除すれば、圧縮された負荷装置３がスライドポスト２及びグリップ４を開始状態に回復させる。このように使用者７の手部の反復した施力、施力解除により、手部の押下運動の効果を達成できる。
【００３８】
説明すべきこととして、図１３に示されるように、別にパッド１０を包含し、該パッド１０には中心孔１０１が設けられ、パッド１０の上端に嵌合部１０２が設けられ、腿部位置決め部材１に嵌合され、且つ該スライドポスト２の上蓋２１、グリップの支持部４１及びグリップロックスイッチ５がパッド１０の中心孔１０１内に設けられる。パッド１０の底部が使用者の大腿７１の上に置かれ、使用者は前述の運動方式を使用して運動でき、該パッド１０を組み合わせることで、大腿７１に疼痛及び疲労感を発生しにくい。
【００３９】
これにより、本考案は多機能を融合し、使用者の携帯に便利で、且つ使用者の大腿７１で挟持し、手部に引き上げ、横向き押圧及び押下運動を行わせられ、これにより使用者７の腕力、胸部の筋力、腹筋力及び腰力を鍛えることができ、多機能、多用途の運動効果を達成できる。
【００４０】
また、図１４及び図１５に示されるように、本考案は使用者が引き上げと押下の運動を行いやすいように、スライドポスト２の上蓋２１の上にグリップロックスイッチ５が設けられ、該グリップロックスイッチ５は回転つまみ５１、Ｔ形頭ネジ５２、及び複数のナット５３を包含する。そのうち、Ｔ形頭ネジ５２の前端は上蓋２１の底より通され、さらに複数のナット５３、回転つまみ５１と結合される。
【００４１】
グリップ４において上蓋２１の枢接シート２１１の枢接部分２１３からこのグリップ４の前端までの部分が支持部４１の頭端４１２と規定され、且つ二つのグリップ４の支持部４１の頭端４１２は相互にずれて設置され、且つ両者の水平方向は重複した形状とされ、各支持部４１に凸部４１３が設けられ、二つの該凸部４１３が相互に対向してその間に収容空間４１４が形成されて、前述の倒置されたＴ形頭ネジ５２が収容され、図１２に示されるようである。
【００４２】
これにより、使用者７は上部の回転つまみ５１を回転操作することでＴ形頭ネジ５２をまわし、Ｔ形頭ネジ５２のヘッド５２１を各支持部４１の凸部４１３に嵌め込むか嵌め込まず、これにより使用者はグリップロックスイッチ５の回転つまみ５１を回すことで、グリップ４の回転可能或いは回転不能をロックできる。
【００４３】
使用者が引き上げ及び押下運動を行いやすいように、回転つまみ５１を回すと同時に、Ｔ形頭ネジ５２のヘッド５２１が各支持部４１の各凸部４１３に嵌まり込み（図１５）、こうしてグリップ４をロックして回転不能とし、使用者７が本考案のグリップ４を握持して引き上げ或いは押下運動を行える。
【００４４】
特に、図１６と図１７に示されるように、本考案のスライドポスト２の底座２４は軸方向に負荷調整装置６を設置可能であり、該負荷調整装置６はその前端に設けられた雄ネジ６１が底座２４の下方より貫通後に、位置決め柱２４１の底端に設けられた雌ネジ２４４と螺合し、負荷調整装置６の回転つまみ６０は底座２４より突出し、使用者は負荷調整装置６の回転つまみ６０を回すことで、負荷調整装置６のスライドシート２４２を底座２４の滑り溝２４０内で上下にスライドさせて、スライドシート２４２の位置決め柱２４１にさらに負荷装置３を押圧させて、負荷装置３を強くし、これにより、使用者に短時間内にエネルギー消費させる。或いは負荷装置３を弱くし、本考案を女性或いは子供に適合したものとする。
【００４５】
総合すると、本考案の多機能軽便エクササイズマシンは、腿部位置決め部材１がスライドポスト２に摺動自由に設けられ、該スライドポスト２の上端に二つのグリップ４、グリップロックスイッチ５及び負荷調整装置６が設けられ、上述の部品の組み合わせにより、多種類の運動機能が一つに融合され、エクササイズマシンの体積を縮小し、使用者の携帯に便利とし、また、機能切り換えスイッチにより使用に便利で、負荷調整装置６の操作により負荷装置３の強度を調整して、男性、女性、及び子供の使用に適合するものとされる。
【００４６】
本考案の全ての構成構造の各実施例は本考案の出願前に頒布された刊行物に記載がなく或いは公開使用もされておらず、実用新案登録の要件に符合する。
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００４７】
１  腿部位置決め部材          １０  パッド
１０１  中心孔                １０２  嵌合部
１１  中空孔                  １２  凹部
１３  上端                    ２  スライドポスト
２０  逃し溝                  ２１  上蓋
２１１  枢接シート            ２１２  戻りバネ
２１３  枢接部分              ２２  内スライドシート
２２１  結合部                ２２２  プラグ
２２３  位置決め管            ２４  底座
２４２  スライドシート        ２４３  挿入孔
２４４  雌ネジ孔              ３  負荷装置
３１  圧縮バネ                ４  グリップ
４１  支持部                  ４１２  頭端
４１１  挿入孔                ４１３  凸部
４１４  収容空間              ４２  握持部
５  グリップロックスイッチ    ５１  回転つまみ
５２  Ｔ形頭ネジ              ５３  ナット
６  負荷調整装置              ６０  回転つまみ
６１  雄ネジ                  ７  使用者
７１  大腿                    ８  椅子
９  周知構造                  ９１  スリーブ
９２  動作ロッド              ９３  ダンパ装置
９５  Ｕ形弾性体
【図１】
0003171341.tif 000003
【図２】
0003171341.tif 000004
【図３】
0003171341.tif 000005
【図４】
0003171341.tif 000006
【図５】
0003171341.tif 000007
【図６】
0003171341.tif 000008
【図７】
0003171341.tif 000009
【図８】
0003171341.tif 000010
【図９】
0003171341.tif 000011
【図１０】
0003171341.tif 000012
【図１１】
0003171341.tif 000013
【図１２】
0003171341.tif 000014
【図１３】
0003171341.tif 000015
【図１４】
0003171341.tif 000016
【図１５】
0003171341.tif 000017
【図１６】
0003171341.tif 000018
【図１７】
0003171341.tif 000019
【図１８】
0003171341.tif 000020